(57)【要約】      （修正有）【課題】コード整理装置であり、ラックサーバーに用いられるケーブルマネージメントデバイスを提供する。【解決手段】第一サポートアーム３４、第二サポートアーム３６、及び連結部品を備える。第一サポートアーム３４は、前部４４ａ、後部４４ｂ、及び第一サポートアーム３４の前部４４ａに位置する第一導引部４６ａを有する。第二サポートアーム３６は、前部４４ａ、後部４４ｂ、及び第二サポートアーム３６の前部４４ａに位置する第一導引部４６ａを有する。連結部品は第一サポートアーム３４と第二サポートアーム３６とを可動に連結する。連結部品は、前導引部６２ａ及び後導引部６２ｂを有する。第一サポートアーム３４の第一導引部４６ａは連結部品の前導引部６２ａに沿って相対移動し、及び第二サポートアーム３６の第一導引部４６ａは、連結部品の後導引部６２ｂに沿って相対移動する。【選択図】図２
0003191124.tif 000002
【実用新案登録請求の範囲】
【請求項１】
ラックサーバーに用いられるケーブルマネージメントデバイスであって、
第一サポートアーム、第二サポートアーム、および連結部材を備え、
前記第一サポートアームは、前部、後部、及び当該前部に位置する第一導引部を有し、
前記第二サポートアームは、前部、後部、及び当該前部に位置する第一導引部を有し、
前記連結部材は、前記第一サポートアームと前記第二サポートアームとの間を可動に連結し、前導引部及び後導引部を有し、
前記第一サポートアームの第一導引部は、前記連結部材の前記前導引部に沿って相対移動可能であり、
前記第二サポートアームの第一導引部は、前記連結部材の前記後導引部に沿って相対移動可能であることを特徴とするケーブルマネージメントデバイス。
【請求項２】
前記連結部材の前記前導引部および前記後導引部は、弧状槽であり、
前記第一サポートアームの第一導引部および前記第二サポートアームの第一導引部は、凸ブロックであり、
前記凸ブロックは、前記弧状槽内の有限空間により移動が制限されていることを特徴とする請求項１に記載のケーブルマネージメントデバイス。
【請求項３】
前記弧状槽は、中心角が９０度である円弧状であることを特徴とする請求項２に記載のケーブルマネージメントデバイス。
【請求項４】
片側が、スライドレールアセンブリによりラックに設置されているシャーシに適用するケーブルマネージメントデバイスであって、
第一サポートアーム、第二サポートアーム、第一連結部材、第三サポートアーム、および第二連結部材を有する第一ケーブルマネージメントフレームを備え、
前記第一サポートアームは、前部、後部、当該前部に位置する第一導引部、及び当該後部に位置する第二導引部を有し、
前記第二サポートアームは、前部、後部、当該前部に位置する第一導引部、及び当該後部に位置する第二導引部を有し、
前記第一連結部材は、前記第一サポートアームの前部と前記第二サポートアームの前部との間を可動に連結し、前導引部及び後導引部を有し、
前記第三サポートアームは、前部、後部、当該前部に位置する第一導引部、及び当該後部に位置する第二導引部を有し、
前記第二連結部材は、前記第二サポートアームの後部と前記第三サポートアームの後部との間を、可動に連結し、前導引部及び後導引部を有し、
前記第一サポートアームの後部は、前記シャーシに可動に接続されており、
前記第三サポートアームの前部は、前記スライドレールアセンブリおよび前記ラックのうちのいずれか一方に可動に接続されており、
前記スライドレールアセンブリにより、前記シャーシが前記ラック内から引き出されると、前記第一サポートアームの第一導引部は前記第一連結部材の前導引部に沿って相対移動し、前記第二サポートアームの第一導引部は前記第一連結部材の後導引部に沿って相対移動し、前記第二サポートアームの第二導引部は前記第二連結部材の前導引部に沿って相対移動し、前記第三サポートアームの第二導引部は前記第二連結部材の後導引部に沿って相対移動し、
前記第一サポートアーム、前記第一連結部材、前記第二サポートアーム、前記第二連結部材、及び前記第三サポートアームは、連動して展開することを特徴とするケーブルマネージメントデバイス。
【請求項５】
第一サポート部材及び第二サポート部材をさらに備え、
前記第一サポート部材は、前記シャーシと前記第一サポートアームの後部との間を連結しており、
前記第二サポート部材は、前記スライドレールアセンブリと前記第三サポートアームの前部との間、或いは前記ラックと前記第三サポートアームの前部との間を連結していることを特徴とする請求項４に記載のケーブルマネージメントデバイス。
【請求項６】
前記第二サポート部材は、前記第三サポートアームの第一導引部に対応する弧状槽を有し、
前記第三サポートアームの第一導引部は、凸ブロックであり、前記弧状槽内の有限空間により移動が制限されていることを特徴とする請求項５に記載のケーブルマネージメントデバイス。
【請求項７】
前記第一連結部材の前導引部および後導引部、ならびに、前記第二連結部材の前導引部および後導引部は、弧状槽であり、
前記第一サポートアームの第一導引部、前記第二サポートアームの第一導引部および第二導引部、ならびに、前記第三サポートアームの第二導引部は、凸ブロックであり、
前記凸ブロックは、前記弧状槽内の有限空間により移動が制限されていることを特徴とする請求項４に記載のケーブルマネージメントデバイス。
【請求項８】
前記弧状槽は、中心角が９０度である円弧状であることを特徴とする請求項７に記載のケーブルマネージメントデバイス。
【請求項９】
一対のスライドレールアセンブリによりラックに設置されているシャーシに適用するケーブルマネージメントデバイスであって、
第一ケーブルマネージメントフレーム及び第二ケーブルマネージメントフレームを備え、
前記第一ケーブルマネージメントフレーム及び前記第二ケーブルマネージメントフレームの何れかは少なくとも、第一サポートアーム、第二サポートアーム、第一連結部材、第三サポートアーム、および第二連結部材を有し、
前記第一サポートアームは、前部、後部、当該前部に位置する第一導引部、及び当該後部に位置する第二導引部を有し、
前記第二サポートアームは、前部、後部、当該前部に位置する第一導引部、及び当該後部に位置する第二導引部を有し、
前記第一連結部材は、前記第一サポートアームの前部と前記第二サポートアームの前部との間を可動に連結し、前導引部及び後導引部を有し、
前記第三サポートアームは、前部、後部、当該前部に位置する第一導引部、及び当該後部に位置する第二導引部を有し、
前記第二連結部材は、前記第二サポートアームの後部と前記第三サポートアームの後部とを可動に連結し、前導引部及び後導引部を有し、
前記第一サポートアームの後部は、前記シャーシに可動に接続されており、
前記第三サポートアームの前部は、前記一対のスライドレールアセンブリのうちの一方、或いは前記ラックに可動に接続されており、
前記スライドレールアセンブリにより、前記シャーシが前記ラック内から引き出されると、前記第一サポートアームの第一導引部は前記第一連結部材の前導引部に沿って相対移動し、前記第二サポートアームの第一導引部は前記第一連結部材の後導引部に沿って相対移動し、前記第二サポートアームの第二導引部は前記第二連結部材の前導引部に沿って相対移動し、前記第三サポートアームの第二導引部は前記第二連結部材の後導引部に沿って相対移動し、
前記第一サポートアーム、前記第一連結部材、前記第二サポートアーム、前記第二連結部材、及び前記第三サポートアームは、連動して展開することを特徴とするケーブルマネージメントデバイス。
【請求項１０】
第一サポート部材、第二サポート部材、第三サポート部材、及び第四サポート部材をさらに備え、
前記第一サポート部材は、前記シャーシと前記第一ケーブルマネージメントフレームとを可動に連結し、
前記第二サポート部材は、前記第一ケーブルマネージメントフレームと一方の前記スライドレールアセンブリとを可動に連結し、
前記第三サポート部材は、前記シャーシと前記第二ケーブルマネージメントフレームとを可動に連結し、
前記第四サポート部材は、前記第二ケーブルマネージメントフレームと他方の前記スライドレールアセンブリを可動に連結することを特徴とする請求項９に記載のケーブルマネージメントデバイス。
【請求項１１】
前記第一サポート部材及び前記第三サポート部材は、前記シャーシの後部の中央位置に接続されていることを特徴とする請求項１０に記載のケーブルマネージメントデバイス。
【考案の詳細な説明】
【技術分野】
【０００１】
本考案は、コード整理装置に関し、ラックサーバー（ｒａｃｋ ｓｅｒｖｅｒ）に用いられるケーブルマネージメントデバイス（ｃａｂｌｅ mａｎａｇｅmｅｎｔ ｄｅｖｉｃｅ）に関する。
【背景技術】
【０００２】
ラックサーバー（ｒａｃｋ ｓｅｒｖｅｒ）とは、ラック（ｒａｃｋ）に設置されるサーバーをいう。
サーバーの対応する両側には、スライドレールアセンブリが配置される。このスライドレールアセンブリにより、サーバーをラックに設置する。
これにより、サーバーは引き出しのように、ラック内から引き出され、或いはラック外から押し入れられ収納される。
【０００３】
サーバーそのもの或いはその周囲には、一般的に、多くのケーブル（ｃａｂｌｅ）を有する。
そのため、サーバーが、スライドレールアセンブリにより、ラック内から引き出され、或いはラック外から押し入れられ収納される際には、コードを整理、或いはコードを収納するケーブルマネージメントデバイスがなければ、ケーブルの整頓性を保つことができない。
【０００４】
特許文献１は、回復式のケーブルマネージメントアーム（Ｒｅｖｅｒｓｉｂｌｅ Ｃａｂｌｅ Mａｎａｇｅmｅｎｔ Ａｒm）を示す。
それは、相互に接続されている２個のサポートアーム１３８、１４０及び２個のサポートアーム１３８、１４０との間に位置する可動接続部材１５０を備える。
【０００５】
図６と図７に示すように、サポートアーム１３８は、相互に可動に接続されている第二追加部材１５２ｂとロック部材１６０を連結する。
ロック部材１６０は、第一スライドレール１３４ａの收容器１５４に接続されている。
サポートアーム１４０は、相互に可動に接続されている第一追加部材１５２ａおよびロック部材１５８に接続されている。
ロック部材１５８は、第二スライドレール１３４ｂの收容器１５４に接続されている。
しかも、サポートアーム１３８と第二追加部材１５２ｂとの接続位置には、引き伸ばし部材１７２が設置されている。
サポートアーム１４０と第一追加部材１５２ａとの接続位置には、別の引き伸ばし部材１７０が設置されている。
【０００６】
上述の構造により、サーバーシャーシ１３０において、ラック１３２中から引き出され、或いはラック１３２外より、押し入れられ収納される時、ケーブル１４２の整頓性を同じタイミングで保持することができる。
同時に、引き伸ばし部材１７０、１７２により、第一追加部材１５２ａ及び第二追加部材１５２ｂは、収納方向上の回復性を有するため、ケーブル１４２の収納方向を保持することができる。
【先行技術文献】
【特許文献】
【０００７】
【特許文献１】米国特許第ＵＳ８，３７９，４１０号明細書
【考案の概要】
【考案が解決しようとする課題】
【０００８】
しかし、上述した考案は使用上に欠点があり、改善する必要がある。その原因は下記の通りである。
【０００９】
引き伸ばし部材は、バネであるため、長期間使用すると、弾力疲労を起こし、錆びる等の問題を生じ、ケーブルマネージメントアームの全体機能に悪影響を及ぼす。
【００１０】
本考案は、上述の問題に鑑みてなされたものであり、その目的は、引き伸ばし部材が、弾力疲労を起こし、錆びる等の問題を生じ、ケーブルマネージメントアームの全体機能に悪影響を及ぼすという従来の構造に存在する欠点を改善することができるラックサーバーに用いられるケーブルマネージメントデバイスを提供することにある。
【課題を解決するための手段】
【００１１】
本考案によるケーブルマネージメントデバイスは、ラックサーバーに用いられるケーブルマネージメントデバイスであって、第一サポートアーム、第二サポートアーム、および連結部材を備える。第一サポートアームは、前部、後部、及び前部に位置する第一導引部を有する。第二サポートアームは、前部、後部、及び前部に位置する第一導引部を有する。連結部材は、第一サポートアームと第二サポートアームとを可動に連結し、前導引部及び後導引部を有する。第一サポートアームの第一導引部は、連結部材の前導引部に沿って相対移動可能である。第二サポートアームの第一導引部は、連結部材の後導引部に沿って相対移動可能である。
また、連結部材の前導引部および後導引部は、弧状槽である。第一サポートアームの第一導引部および第二サポートアームの第一導引部は、凸ブロックである。凸ブロックは、弧状槽内の有限空間により移動が制限されている。
また、弧状槽は、中心角が９０度である円弧状である。
【００１２】
本考案によるケーブルマネージメントデバイスは、片側が、スライドレールアセンブリによりラックに設置されているシャーシに適用するケーブルマネージメントデバイスである。ケーブルマネージメントデバイスは、第一サポートアーム、第二サポートアーム、第一連結部材、第三サポートアーム、および第二連結部材を有する第一ケーブルマネージメントフレームを備える。第一サポートアームは、前部、後部、当該前部に位置する第一導引部、及び当該後部に位置する第二導引部を有する。第二サポートアームは、前部、後部、当該前部に位置する第一導引部、及び当該後部に位置する第二導引部を有する。第一連結部材は、第一サポートアームの前部と第二サポートアームの前部とを可動に連結し、前導引部及び後導引部を有する。第三サポートアームは、前部、後部、当該前部に位置する第一導引部、及び当該後部に位置する第二導引部を有する。第二連結部材は、第二サポートアームの後部と第三サポートアームの後部とを可動に連結し、前導引部及び後導引部を有する。第一サポートアームの後部は、シャーシに可動に接続されている。第三サポートアームの前部は、スライドレールアセンブリおよびラックのうちのいずれか一方に可動に接続されている。スライドレールアセンブリにより、シャーシがラック内から引き出されると、第一サポートアームの第一導引部は第一連結部材の前導引部に沿って相対移動し、第二サポートアームの第一導引部は第一連結部材の後導引部に沿って相対移動し、第二サポートアームの第二導引部は第二連結部材の前導引部に沿って相対移動し、第三サポートアームの第二導引部は第二連結部材の後導引部に沿って相対移動する。第一サポートアーム、第一連結部材、第二サポートアーム、第二連結部材、及び第三サポートアームは、連動して展開する。
また、ケーブルマネージメントデバイスは、第一サポート部材及び第二サポート部材をさらに備える。第一サポート部材は、シャーシと第一サポートアームの後部とを連結する。第二サポート部材は、スライドレールアセンブリと第三サポートアームの前部との間、或いはラックと第三サポートアームの前部とを連結する。
また、第二サポート部材は、第三サポートアームの第一導引部に対応する弧状槽を有する。第三サポートアームの第一導引部は、凸ブロックであり、弧状槽内の有限空間により移動が制限されている。
また、第一連結部材の前導引部および後導引部、ならびに、第二連結部材の前導引部および後導引部は、弧状槽である。第一サポートアームの第一導引部、第二サポートアームの第一導引部および第二導引部、ならびに、第三サポートアームの第二導引部は、凸ブロックである。凸ブロックは、弧状槽内の有限空間により移動が制限されている。
また、弧状槽は、中心角が９０度である円弧状である。
【００１３】
本考案によるケーブルマネージメントデバイスは、一対のスライドレールアセンブリによりラックに設置されているシャーシに適用するケーブルマネージメントデバイスであって、第一ケーブルマネージメントフレーム及び第二ケーブルマネージメントフレームを備える。第一ケーブルマネージメントフレーム及び第二ケーブルマネージメントフレームの何れかは少なくとも、第一サポートアーム、第二サポートアーム、第一連結部材、第三サポートアーム、および第二連結部材を有する。第一サポートアームは、前部、後部、当該前部に位置する第一導引部、及び当該後部に位置する第二導引部を有する。第二サポートアームは、前部、後部、当該前部に位置する第一導引部、及び当該後部に位置する第二導引部を有する。第一連結部材は、第一サポートアームの前部と第二サポートアームの前部との間を可動に連結し、前導引部及び後導引部を有する。第三サポートアームは、前部、後部、当該前部に位置する第一導引部、及び当該後部に位置する第二導引部を有する。第二連結部材は、第二サポートアームの後部と第三サポートアームの後部との間を、可動に連結し、前導引部及び後導引部を有する。第一サポートアームの後部は、シャーシに可動に接続されている。第三サポートアームの前部は、一対のスライドレールアセンブリのうちの一方、或いはラックに可動に接続されている。スライドレールアセンブリにより、シャーシがラック内から引き出されると、第一サポートアームの第一導引部は第一連結部材の前導引部に沿って相対移動し、第二サポートアームの第一導引部は第一連結部材の後導引部に沿って相対移動し、第二サポートアームの第二導引部は第二連結部材の前導引部に沿って相対移動し、第三サポートアームの第二導引部は第二連結部材の後導引部に沿って相対移動する。第一サポートアーム、第一連結部材、第二サポートアーム、第二連結部材、及び第三サポートアームは、連動して展開する。
また、ケーブルマネージメントデバイスは、第一サポート部材、第二サポート部材、第三サポート部材、及び第四サポート部材をさらに備える。第一サポート部材は、シャーシと第一ケーブルマネージメントフレームとの間を可動に連結する。第二サポート部材は、第一ケーブルマネージメントフレームと一方のスライドレールアセンブリとを可動に連結する。第三サポート部材は、シャーシと第二ケーブルマネージメントフレームとを可動に連結する。第四サポート部材は、第二ケーブルマネージメントフレームと他方のスライドレールアセンブリとを可動に連結する。
第一サポート部材及び第三サポート部材は、シャーシの後部の中央位置に接続されている。
【００１４】
本考案は、引き伸ばし部材がバネであるため、長期間使用すると弾力疲労を起こし、錆びる等の問題を生じ、ケーブルマネージメントアームの全体機能に悪影響を及ぼすという従来の構造に存在する欠点を改善することができる。
【図面の簡単な説明】
【００１５】
【図１】本考案の一実施形態によるケーブルマネージメントデバイスを示す斜視図である。
【図２】本考案の一実施形態によるケーブルマネージメントデバイスを示す分解斜視図である。
【図３】本考案の一実施形態によるケーブルマネージメントデバイスを示す平面模式図である。
【図４】本考案の一実施形態によるケーブルマネージメントデバイスのサポートアームと連結部材との間の組立てを示す模式図である。
【図５】本考案の一実施形態によるケーブルマネージメントデバイスの作動状態を示す模式図である。
【図６】本考案の一実施形態によるケーブルマネージメントデバイスの作動状態を示す模式図である。
【図７】本考案の一実施形態によるケーブルマネージメントデバイスの作動状態を示す模式図である。
【図８】本考案の他の実施形態によるケーブルマネージメントデバイスを示す模式図である。
【考案を実施するための形態】
【００１６】
（一実施形態）
本考案の一実施形態によるラックサーバーに用いるケーブルマネージメントデバイスを図面に基づいて説明する。
図１に示すように、ラック１０、シャーシ１２、第一スライドレールアセンブリ１４、第二スライドレールアセンブリ１６、及びケーブルマネージメントデバイス１８を備える。
【００１７】
ラック１０は、第一シャーシ柱２０ａ、第二シャーシ柱２０ｂ、第三シャーシ柱２０ｃ、及び第四シャーシ柱２０ｄを備える。
第一シャーシ柱２０ａ及び第二シャーシ柱２０ｂは、第三シャーシ柱２０ｃ及び第四シャーシ柱２０ｄにそれぞれ対応する。
シャーシ１２の片側は、第一スライドレールアセンブリ１４により、ラック１０の第一シャーシ柱２０ａ及び第二シャーシ柱２０ｂとの間に設置される。
シャーシ１２の反対側は、第二スライドレールアセンブリ１６により、ラック１０の第三シャーシ柱２０ｃ及び第四シャーシ柱２０ｄとの間に設置される。
【００１８】
ケーブルマネージメントデバイス１８は、少なくとも１個のケーブルマネージメントフレームを備え、好ましくは、第一ケーブルマネージメントフレーム２２及び第二ケーブルマネージメントフレーム２４を備える。
第一ケーブルマネージメントフレーム２２と第二ケーブルマネージメントフレーム２４とは、実質的には、相同の構造特徴を備える。
第一ケーブルマネージメントフレーム２２は、シャーシ１２と第一スライドレールアセンブリ１４とを可動に連結する。
第二ケーブルマネージメントフレーム２４は、シャーシ１２と第二スライドレールアセンブリ１６との間を、可動に連結する。
【００１９】
本実施形態では、第一サポート部材２６により、シャーシ１２と第一ケーブルマネージメントフレーム２２との間が、可動に連結されており、及び第二サポート部材２８により、第一ケーブルマネージメントフレーム２２と第一スライドレールアセンブリ１４との間が、可動に連結されている。
同様に、第三サポート部材３０により、シャーシ１２と第二ケーブルマネージメントフレーム２４との間が、可動に連結されており、及び第四サポート部材３２により、第二ケーブルマネージメントフレーム２４と第二スライドレールアセンブリ１６との間が、可動に連結されている。
好ましくは、第一サポート部材２６及び第三サポート部材３０は、シャーシ１２の後部に近い中央位置に接続されている。
【００２０】
図２及び図３は、第一ケーブルマネージメントフレームを例として説明する。
第一ケーブルマネージメントフレームは、第一サポートアーム３４、第二サポートアーム３６、第三サポートアーム３８、第一連結部材４０、及び第二連結部材４２を備える。
【００２１】
第一連結部材４０は、第一サポートアーム３４と第二サポートアーム３６との間を、可動に連結する。
第二連結部材４２は、第二サポートアーム３６と第三サポートアーム３８との間を、可動に連結する。
第一サポートアーム３４は、前部４４ａ、後部４４ｂ、前部４４ａに位置する第一導引部４６ａ、後部４４ｂに位置する第二導引部４６ｂ、及び複数のケーブルマネージメント部材４８を備え、コードを整理する。
第一導引部４６ａ及び第二導引部４６ｂの配置は、同一である。
【００２２】
第二サポートアーム３６は、前部５０ａ、後部５０ｂ、前部５０ａに位置する第一導引部５２ａ、後部５０ｂに位置する第二導引部５２ｂ、及び複数のケーブルマネージメント部材５４を備え、コードを整理する。
第一導引部５２ａ及び第二導引部５２ｂの配置は、同一である。
第三サポートアーム３８は、前部５６ａ、後部５６ｂ、前部５６ａに位置する第一導引部５８ａ、後部５６ｂに位置する第二導引部５８ｂ、及び複数のケーブルマネージメント部材６０を備え、コードを整理する。
第一導引部５８ａ及び第二導引部５８ｂの配置は、同一である。
【００２３】
第一連結部材４０は、第一サポートアーム３４と第二サポートアーム３６との間を、可動に連結し、第一連結部材４０は、前導引部６２ａ及び後導引部６２ｂを備える。
好ましくは、第一連結部材４０は、一対の第一可動接続部材４１により、第一サポートアーム３４と第二サポートアーム３６とを可動に連結する。
第二連結部材４２は、第二サポートアーム３６と第三サポートアーム３８との間を、可動に連結する。
第二連結部材４２は、前導引部６４ａ及び後導引部６４ｂを備える。
好ましくは、第二連結部材４２は、一対の第二可動接続部材４３により、第二サポートアーム３６と第三サポートアーム３８とを可動に連結する。
【００２４】
第一サポートアーム３４は、第三可動接続部材３４１により、第一サポート部材２６に、可動に接続され、第一サポート部材２６は、シャーシ１２に接続されている。
第三サポートアーム３８は、第四可動接続部材３８１により、第二サポート部材２８に、可動に接続され、第二サポート部材２８は、第五可動接続部材２８１により、第一スライドレールアセンブリ１４に、可動に接続される。
好ましくは、第二サポート部材２８は、弧状槽２９を備え、第三サポートアーム３８の第一導引部５８ａに対応する。
第一導引部５８ａは、凸ブロックで、凸ブロックは、弧状槽内の有限空間に移動を制限される。
【００２５】
図４に示すように、第一サポートアーム３４の第一導引部４６ａは、第一連結部材４０の前導引部６２ａに沿って相対移動する。
第二サポートアーム３６の第一導引部５２ａは、第一連結部材４０の後導引部６２ｂに沿って相対移動する。
第三サポートアーム３８の第一導引部５８ａは、第二サポート部材２８の弧状槽２９に沿って相対移動する。
【００２６】
本実施形態では、各前導引部６２ａ、６４ａ及び各後導引部６２ｂ、６４ｂは、弧状槽を備え、しかも弧状槽は、１/４の円弧ルートである。
各第一導引部４６ａ、５２ａ及び各第二導引部５２ｂ、５８ｂは共に、凸ブロックで、凸ブロックは、弧状槽内の有限空間に移動を制限される。
【００２７】
上述した各前導引部６２ａ、６４ａ或いは各後導引部６２ｂ、６４ｂは、弧状槽で、しかも各第一導引部４６ａ、５２ａ及び各第二導引部５２ｂ、５８ｂは、凸ブロックの対応構造であるが、これ以外に以下の形態とすることができる。
各前導引部６２ａ、６４ａ或いは各後導引部６２ｂ、６４ｂは、凸ブロックで、しかも各第一導引部４６ａ、５２ａ及び各第二導引部５２ｂ、５８ｂは、弧状槽の対応構造とすることができる。
【００２８】
図５及び図６は、ケーブルマネージメントデバイス１８の作動模式図である。
【００２９】
図５に示すように、シャーシ１２が、スライドレールアセンブリによりラック１０内から引き出されると、ケーブルマネージメントデバイス１８は、シャーシ１２により連動される。
この時、第一サポートアーム３４、第一連結部材４０、第二サポートアーム３６、第二連結部材４２、及び第三サポートアーム３８は、その間の弧状槽と凸ブロックとの対応関係により、連動されて展開する。
並びに、この弧状槽と凸ブロックとの対応導引関係により、ケーブルマネージメントデバイス１８は、方向上の導引と位置限定機能を備える。
これにより、ケーブルマネージメント部材４８、５４、６０に収容されるケーブルの引き伸ばし方向を保持する。
【００３０】
図６は、ケーブルマネージメントデバイス１８が完全に引き伸ばされた状態を示す。
図７は、図１に示すケーブルマネージメントデバイス１８両側が完全に引き伸ばされた状態を示す。
シャーシ１２が、スライドレールアセンブリにより、ラック１０外から押し入れられ収納されると、第一サポートアーム３４とシャーシ１２の第一サポート部材２６とは、可動な連結関係であるため、ケーブルマネージメントデバイス１８は、シャーシ１２により連動される。
【００３１】
すなわち、第一サポートアーム３４、第一連結部材４０、第二サポートアーム３６、第二連結部材４２、及び第三サポートアーム３８は、その間の弧状槽と凸ブロックとの対応関係により、連動されて収納される。
並びに、この弧状槽と凸ブロックとの対応導引関係により、ケーブルマネージメントデバイス１８は、方向上の導引と位置限定機能を備える。
ケーブルマネージメント部材４８、５４、６０に収納されるケーブルの収納方向を保持することができる。
【００３２】
図３は、ケーブルマネージメントデバイス１８が完全に収納された状態を示す。
【００３３】
（他の実施形態）
図８に示す他の実施形態においては、延伸部材６６により、第三サポートアーム３８の前部５６ａは、ラックの第二シャーシ柱２０ｂに可動に接続される。
それと相似し、未図示のケーブルマネージメントデバイスの反対側でも、別の延伸部材により、第二ケーブルマネージメントフレームは、第四シャーシ柱２０ｄに可動に接続される。
【００３４】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び明細書の内容に基づいて、同等効果を有する簡単な変化及び修飾は、全て、本考案の範囲内に属するものとする。
【符号の説明】
【００３５】
１０  ラック、
１２  シャーシ、
１４  第一スライドレールアセンブリ、
１６  第二スライドレールアセンブリ、
１８  ケーブルマネージメントデバイス、
２０ａ  第一シャーシ柱、
２０ｂ  第二シャーシ柱、
２０ｃ  第三シャーシ柱、
２０ｄ  第四シャーシ柱、
２２  第一ケーブルマネージメントフレーム、
２４  第二ケーブルマネージメントフレーム、
２６  第一サポート部材、
２８  第二サポート部材、
２９  弧状槽、
３０  第三サポート部材、
３２  第四サポート部材、
３４  第一サポートアーム、
３６  第二サポートアーム、
３８  第三サポートアーム、
４０  第一連結部材、
４１  第一可動接続部材、
４２  第二連結部材、
４３  第二可動接続部材、
３４１  第三可動接続部材、
３８１  第四可動接続部材、
２８１  第五可動接続部材品、
４４ａ、５０ａ、５６ａ  前部、
４４ｂ、５０ｂ、５６ｂ  後部、
４６ａ、５２ａ、５８ａ  第一導引部、
４６ｂ、５２ｂ、５８ｂ  第二導引部、
４８、５４、６０  ケーブルマネージメント部材、
６２ａ、６４ａ  前導引部、
６２ｂ、６４ｂ  後導引部、  
６６  延伸部材。      
【図１】
0003191124.tif 000003
【図２】
0003191124.tif 000004
【図３】
0003191124.tif 000005
【図４】
0003191124.tif 000006
【図５】
0003191124.tif 000007
【図６】
0003191124.tif 000008
【図７】
0003191124.tif 000009
【図８】
0003191124.tif 000010